(57)【要約】【課題】美麗な外観の端先部又は段鼻部を簡単に構築することができ、また、ＬＥＤ照明やＩＯＴデバイス等の電子機器、及び、ケーブル類を好適に配置することができるデッキ用端先材を提供する。【解決手段】本体２と蓋部３とによって構成され、本体２の上半部２１は、外側面２２が、下半部２７の外側面２８よりも外側へ突出するとともに、上半部２１の外側面２２から内方へ向かって形成された横溝２３を有し、蓋部３には、本体２の横溝２３の開口部に装着するための係止フラップ３１ａ，３１ｂが形成され、横溝２３の開口部の上顎及び下顎の内側には、蓋部３を装着するための嵌合溝２３ａ，２３ｂが形成されていることを特徴とする。【選択図】図２
2019011575.tif 000002
【特許請求の範囲】
【請求項１】
本体と蓋部とによって構成され、
本体の上半部は、外側面が、下半部の外側面よりも外側へ突出するとともに、上半部の外側面から内方へ向かって形成された横溝を有し、
蓋部には、本体の横溝の開口部に装着するための係止フラップが形成されていることを特徴とするデッキ用端先材。
【請求項２】
本体の横溝の開口部の上顎及び／又は下顎の内側に、蓋部を装着するための嵌合溝が形成されていることを特徴とする、請求項１に記載のデッキ用端先材。
【請求項３】
本体の横溝の最奥部に、位置決め及び位置ずれ防止のための案内溝が形成されていることを特徴とする、請求項１又は請求項２に記載のデッキ用端先材。
【請求項４】
本体の上半部と下半部の境界となる段部に、上方へ向かって形成された上溝が設けられていることを特徴とする、請求項１〜３のいずれかに記載のデッキ用端先材。
【請求項５】
本体の上溝の天面に、位置決め及び位置ずれ防止のための案内溝が形成されていることを特徴とする、請求項４のいずれかに記載のデッキ用端先材。
【請求項６】
蓋部が、本体に装着された際に、上端が本体の上面の近傍まで達する上方延長部と、下端が段部の近傍まで達する下方延長部とを有し、少なくとも内側部が、光を透過する透明な合成樹脂によって形成されていることを特徴とする、請求項１〜５のいずれかに記載のデッキ用端先材。
【請求項７】
請求項１〜６のいずれかに記載のデッキ用端先材を用いて、デッキの端先部又は階段の段鼻部を施工する方法であって、
蓋部を取り外した状態で、本体の上半部の裏面をデッキの端先又は階段の段鼻に当接させ、横溝の開口部側からビスを打ち込んで本体を固定し、
横溝の開口部に蓋部を装着することを特徴とする端先部又は段鼻部の施工方法。
【請求項８】
横溝内に、電子機器、及び、電力供給又は信号伝送のためのケーブル類を配置した後、横溝の開口部に蓋部を装着することを特徴とする、請求項７に記載の端先部又は段鼻部の施工方法。
【請求項９】
請求項４又は請求項５に記載のデッキ用端先材を用いて、デッキの端先部又は階段の段鼻部を施工する方法であって、
蓋部を取り外した状態で、本体の上半部の裏面をデッキの端先又は階段の段鼻に当接させ、横溝の開口部側からビスを打ち込んで本体を固定し、
上溝の天面から横溝まで貫通する連絡孔を形成し、
横溝内に、電子機器、及び、電力供給又は信号伝送のためのケーブル類を配置するとともに、連絡孔にケーブル類を通すことにより、上溝内にも、ケーブル類を配置し、又は、電子機器とケーブル類を配置し、
横溝の開口部に蓋部を装着することを特徴とする端先部又は段鼻部の施工方法。
【発明の詳細な説明】
【技術分野】
【０００１】
本発明は、屋内外のデッキ（バルコニーやテラス等を含む）の端先（はなさき）、及び、階段の段鼻（だんばな）に取り付けて使用される建築用板材に関する。
【背景技術】
【０００２】
屋内外のデッキの端先（デッキ面の端縁部のうち、外側へ露出する部分）や、階段の段鼻（段板の手前側の端縁部）には、デッキ面を構成するデッキ材や階段の段板の端面を隠して、見栄えを良くすることができるように、端先材を取り付けることが行われている。
【０００３】
デッキの端先に取り付けられる端先材としては、図８に示すように、専用の薄板材１２（幕板）が用いられることもあるが、デッキ材を流用することも一般的に行われている。例えば図９に示すように、根太材５の上にデッキ材４を並列させて構成したデッキの端先に対し、端先材として用いるデッキ材４’を垂直に保持して当接させ、垂直な側面からビス７を水平方向へ打ち込んでデッキ材４’を固定する。
【先行技術文献】
【特許文献】
【０００４】
【特許文献１】特開２００９−２２８２８８号公報
【発明の概要】
【発明が解決しようとする課題】
【０００５】
しかしながら、図８又は図９に示すような方法で端先部を形成すると、端先材（薄板材１２、デッキ材４’）の固定のために用いるビス７の頭部７ａが外方へ露呈することになり、見栄えが良くないという問題がある。また、屋外に設置されるデッキにおいてビス７の頭部７ａが露出していると、錆が発生し、構造材（図９に示す根太材５や束材６）にも悪影響を与えかねない。
【０００６】
また近年では、夜間におけるデッキの利用者（歩行者）が、デッキの端先部や階段の段鼻部の存在を簡単に視認できるように（即ち、安全性の観点から）、或いは、商業施設等においては、装飾のために、デッキの端先部や階段の段鼻部にＬＥＤ照明を配置すること（或いは、各種のＩＯＴデバイスを配置すること）が行われているが、そのような電子機器を含むシステムを、図８又は図９に示すようなデッキの端先部（或いは階段の段鼻部）に対して適用する場合、それらの電子機器やケーブル類を配置、配線するためのスペースが必要となるほか、防水措置が必要となり、更に、ケーブル類の配線のために煩雑な作業が必要となるため、施工コストが嵩んでしまうという問題がある。
【０００７】
本発明は、このような従来技術の問題を解決しようとするものであって、美麗な外観の端先部又は段鼻部を簡単に構築することができ、また、ＬＥＤ照明やＩＯＴデバイス等の電子機器及びケーブル類を好適に配置することができるデッキ用端先材を提供することを目的とする。
【課題を解決するための手段】
【０００８】
本発明に係るデッキ用端先材は、本体と蓋部とによって構成され、本体の上半部は、外側面が、下半部の外側面よりも外側へ突出するとともに、外側面から内方へ向かって形成された横溝を有し、蓋部には、本体の横溝の開口部に装着するための係止フラップが形成されていることを特徴としている。
【０００９】
尚、本体の横溝の開口部の上顎及び／又は下顎の内側には、蓋部を装着するための嵌合溝が形成されていることが好ましく、また、本体の横溝の最奥部には、ビスの位置決め及び位置ずれ防止のための案内溝が形成されていることが好ましい。
【００１０】
更に、本体の上半部と下半部の境界となる段部には、上方へ向かって形成された上溝が設けられていることが好ましく、この上溝の天面には、ドリルビットの位置決め及び位置ずれ防止のための案内溝が形成されていることが好ましい。また、蓋部が、本体に装着された際に、上端が本体の上面の近傍まで達する上方延長部と、下端が段部の近傍まで達する下方延長部とを有し、少なくとも内側部が、光を透過する透明な合成樹脂によって形成されていることが好ましい。
【００１１】
本発明に係る端先部又は段鼻部の施工方法は、上記のようなデッキ用端先材の蓋部を取り外した状態で、本体の上半部の裏面をデッキの端先又は階段の段鼻に当接させ、横溝の開口部側からビスを打ち込んで本体を固定し、横溝の開口部に蓋部を装着することを特徴としている。
【００１２】
尚、横溝内には、電子機器（ＬＥＤ照明、ＩＯＴデバイス等）、及び、電力供給又は信号伝送のためのケーブル類を配置することが好ましく、更に、上溝の天面から横溝まで貫通する連絡孔を形成し、この連絡孔にケーブル類を通すことにより、上溝内にもケーブル類を配置し、又は、電子機器とケーブル類を配置することが好ましい。
【発明の効果】
【００１３】
本発明に係るデッキ用端先材は、横溝の内側からビスを打ち込んで端先又は段鼻に固定した場合、横溝の開口部に蓋部を装着することにより、横溝内に残留することになるビスの頭部を好適に隠すことができ、美麗な外観の端先部又は段鼻部を簡単に構築することができる。また、蓋部を装着して横溝の開口部を閉じた場合、内部空間への雨水等の浸入を好適に防止することができるため、ビスの頭部における錆びの発生を効果的に抑制することができるほか、ＬＥＤ照明やＩＯＴデバイス等の電子機器、及び、ケーブル類を、横溝内の空間に問題なく配置することができ、施工コストを大幅に縮減することができる。
【００１４】
また、本体の上半部と下半部の境界となる段部に、上方へ向かって形成された上溝を形成した場合には、この上溝内の空間にも、ＬＥＤ照明やＩＯＴデバイス等の電子機器、及び、ケーブル類を配置することができる。
【図面の簡単な説明】
【００１５】
【図１】図１は、本発明に係るデッキ用端先材１の部分的な斜視図である。
【図２】図２は、図１に示すデッキ用端先材１を構成する本体２及び蓋部３の断面図である。
【図３】図３は、図２に示す本体２の取付方法の説明図である。
【図４】図４は、図２に示す本体２及び蓋部３の取付方法の説明図である。
【図５】図５は、図２に示す本体２及び蓋部３の取付方法の説明図である。
【図６】図６は、図２に示す本体２の横溝２３内に電子機器（ＬＥＤ照明８等）を取り付けた状態の一例を示す図である。
【図７】図７は、本発明に係るデッキ用端先材１を構成する蓋部３の他の構成例を示す図である。
【図８】図８は、従来のデッキにおける端先部の施工例を示す図である。
【図９】図９は、従来のデッキにおける端先部の他の施工例を示す図である。
【発明を実施するための形態】
【００１６】
以下、添付図面に沿って本発明に係る「デッキ用端先材」を実施するための形態について説明する。図１は、本発明に係るデッキ用端先材１の部分的な斜視図であり、図２は、その断面図である。図示されているように、このデッキ用端先材１は、本体２と蓋部３とによって構成されている。これらの本体２及び蓋部３は、いずれも合成樹脂製で、押出成形によって製造されている。従って、基本的には、長手方向と直交する方向についての断面形状は一定である。
【００１７】
本体２は、図２に示すように、相対的に肉厚な上半部２１と、相対的に肉薄の下半部２７とからなり、上半部２１は、外側面２２（デッキ材の端先に取り付けた際に外側となる面）が、下半部２７の外側面２８よりも外側（図２において左側）へ突出しており、その突出分だけ下半部２７よりも肉厚となっている。
【００１８】
上半部２１には、中間の高さ位置において、外側面２２から内方へ向かって形成された横溝２３が設けられている。尚、この横溝２３は、上半部２１の厚さ寸法の約半分の深さ（奥行き）寸法を有している。また、横溝２３の開口部の上顎及び下顎の内側には、それぞれ蓋部３を装着するための嵌合溝２３ａ，２３ｂが形成されており、横溝２３の最奥部の中間の高さ位置には、案内溝２３ｃが形成されている。この案内溝２３ｃは、ビスを打ち込む際のビス先端の位置決めに利用できるとともに、作業中におけるビス先端の位置ずれを防止する機能を有している。
【００１９】
更に、上半部２１と下半部２７の境界となる段部２４には、上方へ向かって形成された上溝２５が設けられている。尚、この上溝２５の天面にも、案内溝２５ａが形成されている。この案内溝２５ａは、上溝２５と横溝２３とを連通させるための縦孔（連絡孔）を形成する際のドリルビット先端の位置決めに利用できるとともに、作業中におけるドリルビット先端の位置ずれを防止する機能を有している。
【００２０】
また、上半部２１の裏面側（図２において右側）の上端には、裏面側へ突出する突条部２６が形成されている。この突条部２６は、デッキの端先に取り付ける際の位置決めに利用できるとともに、デッキ材との接合部を隠し、異物の浸入を防止する機能を有している。
【００２１】
蓋部３は、帯板状に形成されており、上縁部には、裏面側（図２において右側）斜め上方へ向かって突出する係止フラップ３１ａが形成され、下縁部には、裏面側斜め下方へ向かって突出する係止フラップ３１ｂが形成されている。これらの係止フラップ３１ａ，３１ｂは、蓋部３を本体２の横溝２３の開口部に装着するためのものである。
【００２２】
より具体的には、蓋部３を本体２の横溝２３の開口部に当接させて押し込むと、係止フラップ３１ａ，３１ｂが一時的に弾性変形して本体２の嵌合溝２３ａ，２３ｂ内にそれぞれ嵌合することになり、本体２（横溝２３の開口部）に対する蓋部３の装着状態を維持することができ、また、装着状態の蓋部３の一方側の端部を、横溝２３内から手前側へ引っ張り出し、この動作を他方側の端部へ向かって順次実行することにより、蓋部３を本体２の横溝２３から取り外すことができる。
【００２３】
このデッキ用端先材１をデッキ（バルコニーやテラス等を含む）の端先に取り付ける場合、図３に示すように、蓋部を取り外した状態（本体２の横溝２３を外側へ露出させた状態）で、本体２の上半部２１の裏面をデッキ材４の端先に当接させ、デッキ材４の端先上縁部４ａが、本体２の突条部２６の下側の入隅内に係合するように位置を合わせる。
【００２４】
この状態で、図４に示すように、横溝２３の最奥部からデッキ材４に向けて、或いは、図５に示すように、横溝２３の最奥部から、受材１１（デッキ材４の下側において、根太材５或いは束材等に固定した部材）に向けて、ビス７を打ち込んで本体２を固定する。尚このとき、まず、横溝２３の奥部に形成されている案内溝２３ｃ（図２参照）の中にビス７の先端を突き立て、この状態からビス７の打ち込みを行うと、適正な高さ位置にビス７を打ち込むことができ、また、高さ方向についてのビス７先端の位置ずれを防止することができる。そして、ビス７の打ち込み後、横溝２３の開口部に蓋部３を装着することにより、ビス７の頭部７ａを隠すことができ、美麗な外観の端先部を簡単に構築することができる。
【００２５】
また、蓋部３は、ビス７の頭部７ａを隠すという機能のみならず、ＬＥＤ照明、各種センサー（人感センサー、温度センサー等）を含むＩＯＴデバイス、及び、ケーブル類を配置するスペースを確保できるという機能をも有している。具体的には、図６に示すように、蓋部３を装着して横溝２３の開口部を閉じた場合、雨水や塵埃等が内部空間Ｓ１に浸入することを好適に防止することができるため、ＬＥＤ照明８やＩＯＴデバイス（図示せず）を問題なく配置することができるほか、それらの電子機器に電力を供給し、或いは、信号を伝送するケーブル類９についても、問題なく配線することができる。尚、横溝２３内にＬＥＤ照明８を配置する場合には、蓋部３として、光を透過する透明な合成樹脂によって形成したものを装着する。
【００２６】
更に、図６に示すように、横溝２３の下方に形成されている上溝２５の天面から横溝２３まで貫通する連絡孔１０（縦孔）を、必要な位置に必要な数だけ形成した場合には、横溝２３の内部空間Ｓ１に配線したケーブル類９の一部を分岐させて、連絡孔１０を通すことにより、ＬＥＤ照明８やＩＯＴデバイス（図示せず）及びケーブル類９を、上溝２５の内部空間Ｓ２にも配置し、又は、配線することができる。ＬＥＤ照明８を上溝２５の内部に配置した場合、本体２の下半部２７の外側面２８等に向けて光を照射することができ、間接照明とすることができる。
【００２７】
尚、連絡孔１０の直径は、ケーブル類９を簡単に挿通できるように、９ｍｍ程度とすることが望ましい。このため、上溝２５については、直径９ｍｍの連絡孔１０を形成できるように、幅寸法を９ｍｍ以上に設定することが望ましい。また、連絡孔１０を形成する際に、上溝２５の天面から上方へ向けてドリルビットを垂直に進入させて穿孔することにより、上溝２５の内部空間Ｓ２と横溝２３の内部空間Ｓ１とを、直径９ｍｍの連絡孔１０によって連通できるように、上方の横溝２３と下方の上溝２５の形成位置が、幅方向へ９ｍｍ以上、上下にオーバーラップしていることが好ましい。
【００２８】
また、本発明に係るデッキ用端先材１においては、図７に示すような蓋部３を用いることもできる。より詳細には、図７の蓋部３は、裏面側（図７において右側）に、本体２の横溝２３の開口部に装着するための係止フラップ３１ａ，３１ｂ（斜め上方及び斜め下方へ向かってそれぞれ突出し、図２に示す係止フラップ３１ａ，３１ｂと同様に機能する）が形成されているほか、本体２に装着された際に、上端が本体２の上面２９の近傍まで達する上方延長部３２ａと、下端が段部２４の近傍まで達する下方延長部３２ｂとを有している。
【００２９】
また、この蓋部３は、外側表層部３３（本体２に装着した際に外側となる部分）が、光を透過しない不透明な合成樹脂によって形成されるとともに、内側部３４（本体２に装着した際に本体２側となる部分）が、光を透過する透明な合成樹脂によって形成されており、横溝２３内にＬＥＤ照明８が配置された本体２に装着した場合、ＬＥＤ照明８から出力される光を、透明な内側部３４内に入射させるとともに上下に分光させて、上方延長部３２ａの上端から上方へ向けて、かつ、下方延長部３２ｂの下端から下方へ向けて照射することができる。
【００３０】
このように図７に示す蓋部３を装着して、上方延長部３２ａから上方へ向けて光（線状光）を照射した場合、夜間におけるデッキの利用者（歩行者）に対し、デッキの端先部の存在を簡単に視認させることができ、また、下方延長部３２ｂから下方へ向けて光を照射した場合、端先部の下方側を照明することができる。尚、下方延長部３２ｂの下端の形状を、図７に示すような波型凹凸形状とした場合、照射光を拡散させることができ、端先部の下方側を幅広く照明することができる。
【００３１】
尚、図３〜図６には、デッキ面を構成するデッキ材４の端先にデッキ用端先材１を取り付ける例を示したが、このデッキ用端先材１は、階段の段鼻（階段を構成する段板の手前側の端縁部）に取り付けることもでき、この場合も、デッキの端先に取り付けた場合と同様の効果を期待することができる。
【００３２】
また、図７に示すデッキ用端先材を階段の段鼻に取り付けた場合、上方延長部３２ａから上方へ向けて照射される線状光により、階段利用者に対し、各段の段鼻先端位置を明示することができ、また、下方延長部３２ｂから下方へ向けて照射される拡散光により、下側の踏面を照明することができる。尚、図７に示す蓋部３は、外側表層部３３が不透明な合成樹脂によって形成されており、ＬＥＤ照明８から出力された光が蓋部３の外側（図７において左側）には照射されないようになっているが、光が外側へも照射されるように、外側表層部３３を含む全体が透明な合成樹脂によって形成された蓋部（図示せず）を用いることもできる。
【符号の説明】
【００３３】
１：デッキ用端先材、
２：本体、
３：蓋部、
４，４’：デッキ材、
４ａ：上縁部、
５：根太材、
６：束材、
７：ビス、
７ａ：頭部、
８：ＬＥＤ照明、
９：ケーブル類、
１０：連絡孔、
１１：受材、
１２：薄板材、
２１：上半部、
２２：外側面、
２３：横溝、
２３ａ，２３ｂ：嵌合溝、
２３ｃ：案内溝、
２４：段部、
２５：上溝、
２５ａ：案内溝、
２６：突条部、
２７：下半部、
２８：外側面、
２９：上面、
３１ａ，３１ｂ：係止フラップ、
３２ａ：上方延長部、
３２ｂ：下方延長部、
３３：外側表層部、
３４：内側部
【図１】
2019011575.tif 000003
【図２】
2019011575.tif 000004
【図３】
2019011575.tif 000005
【図４】
2019011575.tif 000006
【図５】
2019011575.tif 000007
【図６】
2019011575.tif 000008
【図７】
2019011575.tif 000009
【図８】
2019011575.tif 000010
【図９】
2019011575.tif 000011